【手続補正書】
【提出日】平成28年9月12日(2016.9.12)
【手続補正１】
【補正対象書類名】特許請求の範囲
【補正対象項目名】全文
【補正方法】変更
【補正の内容】
【特許請求の範囲】
【請求項１】
診断を支援する情報を表示させる診断支援装置であって、
診断の対象となる医用画像を取得する画像取得手段と、
前記診断のための医用情報を既入力情報として取得する医用情報取得手段と、
前記医用画像の特徴量を取得する特徴量取得手段と、
前記既入力情報以外の医用情報である未入力情報の中から、前記特徴量と対応し得る医用情報であって前記診断の結果に関係する医用情報を少なくとも１つ選択する選択手段と、
前記選択された未入力情報を表示部に表示させる表示制御手段と、
を有することを特徴とする診断支援装置。
【請求項２】
前記選択手段は、前記既入力情報に含まれる前記医用画像に対する読影所見に基づいて、前記医用画像についての未入力情報を特定し、当該特定された未入力情報の中から前記特徴量と対応し得る未入力情報を選択することを特徴とする請求項１に記載の診断支援装置。
【請求項３】
前記既入力情報に含まれる前記医用画像に対する読影所見に基づいて、前記診断の結果を推論する推論手段を更に有し、
前記選択手段は、前記既入力情報である読影所見と、前記推論された前記診断の結果とに基づいて、前記未入力情報のうち表示対象とする未入力情報を選択することを特徴とする請求項１または２に記載の診断支援装置。
【請求項４】
前記特徴量と対応し得る未入力情報を特定する特定手段を更に有することを特徴とする請求項１乃至３のいずれか１項に記載の診断支援装置。
【請求項５】
前記診断において医用画像に対して入力可能な医用情報の群を記憶するメモリと、
前記メモリに記憶された前記入力可能な医用情報から、前記特徴量に対応し得る医用情報を特定する特定手段と、
を更に有することを特徴とする請求項１乃至３のいずれか１項に記載の診断支援装置。
【請求項６】
前記既入力情報に含まれる前記医用画像に対する読影所見に基づいて、前記診断の結果を推論する推論手段を更に有し、
前記選択手段は、
前記読影所見に基づいて前記医用画像についての未入力情報を特定し、
前記特定された未入力情報のそれぞれが入力されることによる、前記推論手段により前記診断の結果の推論結果に与える影響度に基づいて、前記特定された未入力情報から前記診断に関係する医用情報を少なくとも１つを選択することを特徴とする請求項１または２に記載の診断支援装置。
【請求項７】
前記選択手段は、前記影響度が最も大きい未入力情報を選択することを特徴とする請求項６に記載の診断支援装置。
【請求項８】
前記推論手段は、前記診断の結果として複数の診断名の候補と、前記複数の診断名の候補のそれぞれの推論確率とを取得し、
前記選択手段は、前記診断名の候補についての未入力情報を選択することを特徴とする請求項６または７に記載の診断支援装置。
【請求項９】
前記選択手段は、前記既入力情報に基づく推論手段による推論の結果に対して前記未入力情報が与える影響度に基づいて選択することを特徴とする請求項１または２に記載の診断支援装置。
【請求項１０】
前記医用情報取得手段は、操作部からの操作入力に基づいて、前記医用画像に関して入力された医用情報である読影所見を、前記既入力情報として取得することを特徴とする請求項１乃至９のいずれか１項に記載の診断支援装置。
【請求項１１】
前記医用情報は、前記医用画像に対する読影所見を含むことを特徴とする請求項１乃至１０のいずれか１項に記載の診断支援装置。
【請求項１２】
前記医用情報は、読影レポート、カルテ及び医用検査データのうちの少なくともいずれかのデータに含まれる情報を含むことを特徴とする請求項１乃至１１のいずれか１項に記載の診断支援装置。
【請求項１３】
前記選択手段は、前記未入力情報に含まれる医用情報であって、読影レポート、カルテ及び医用検査データのうちの少なくともいずれかのデータに含まれる医用情報の中から、前記特徴量と対応しない医用情報以外の医用情報を少なくとも１つ選択することを特徴とする請求項１２に記載の診断支援装置。
【請求項１４】
診断を支援する情報を表示させる診断支援装置であって、
診断の対象となる医用画像を取得する画像取得手段と、
前記医用画像について入力された医用情報を既入力情報として取得する医用情報取得手段と、
前記医用画像の特徴量を取得する特徴量取得手段と、
前記医用画像の特徴量に基づいて、前記既入力情報以外の医用情報である読影所見の項目を選択する選択手段と、
前記選択された項目を表示部に表示させる表示制御手段と、
を有することを特徴とする診断支援装置。
【請求項１５】
診断を支援する情報を表示させる診断支援システムであって、
診断の対象となる医用画像を取得する画像取得手段と、
前記診断のための医用情報を既入力情報として取得する医用情報取得手段と、
前記医用画像の特徴量を取得する特徴量取得手段と、
前記既入力情報以外の医用情報である未入力情報の中から、前記特徴量と対応し得る医用情報であって前記診断の結果に関係する医用情報を少なくとも１つ選択する選択手段と、
前記選択された未入力情報を表示部に表示させる表示制御手段と、
を有することを特徴とする診断支援システム。
【請求項１６】
診断を支援する情報を表示させる診断支援システムであって、
診断の対象となる医用画像を取得する画像取得手段と、
前記医用画像について入力された医用情報を既入力情報として取得する医用情報取得手段と、
前記医用画像の特徴量を取得する特徴量取得手段と、
前記医用画像の特徴量に基づいて、前記既入力情報以外の医用情報である読影所見の項目を選択する選択手段と、
前記選択された項目を表示部に表示させる表示制御手段と、
を有することを特徴とする診断支援システム。
【請求項１７】
診断を支援する情報を表示させる診断支援方法であって、
診断の対象となる医用画像を取得する画像取得工程と、
前記診断のための医用情報を既入力情報として取得する医用情報取得工程と、
前記医用画像の特徴量を取得する特徴量取得工程と、
前記既入力情報以外の医用情報である未入力情報の中から、前記特徴量と対応し得る医用情報であって前記診断の結果に関係する医用情報を少なくとも１つ選択する選択工程と、
前記選択された未入力情報を表示部に表示させる表示制御工程と、
を有することを特徴とする診断支援方法。
【請求項１８】
診断を支援する情報を表示させる診断支援方法であって、
診断の対象となる医用画像を取得する画像取得工程と、
前記医用画像について入力された医用情報を既入力情報として取得する医用情報取得工程と、
前記医用画像の特徴量を取得する特徴量取得工程と、
前記医用画像の特徴量に基づいて、前記既入力情報以外の医用情報である読影所見の項目を選択する選択工程と、
前記選択された項目を表示部に表示させる表示制御工程と、
を有することを特徴とする診断支援方法。
【請求項１９】
診断を支援する情報を提供する診断支援装置であって、
診断の対象となる医用画像を取得する画像取得手段と、
前記医用画像について入力された医用情報を既入力情報として取得する医用情報取得手段と、
前記医用画像の特徴量を取得する特徴量取得手段と、
前記既入力情報以外の医用情報である未入力情報の中から、前記特徴量に関連付けられた複数の未入力情報を、提示の候補である提示未入力情報候補として選択する提示未入力情報候補選択手段と、
を有することを特徴とする診断支援装置。
【請求項２０】
前記既入力情報と前記提示未入力情報候補の夫々を用いて推論結果を得る推論手段と、
前記推論結果に基づいて、前記提示未入力情報候補の中から、提示未入力情報を選択する提示未入力情報選択手段と、
前記提示未入力情報選択手段で選択した提示未入力情報を提示する提示手段と、
を有することを特徴とする請求項１９に記載の診断支援装置。
【請求項２１】
前記提示未入力情報選択手段により選択された提示未入力情報は、予想診断名を否定する未入力情報を含むことを特徴とする請求項２０に記載の診断支援装置。
【請求項２２】
前記提示未入力情報選択手段は、複数の前記推論結果に基づいて、前記提示未入力情報候補の中から、提示未入力情報を選択するものであり、
前記予想診断名を否定する未入力情報は、前記複数の推論結果に係る推論確率が最小のものであることを特徴とする請求項２１に記載の診断支援装置。
【請求項２３】
前記推論手段は、前記既入力情報と前記提示未入力情報候補の夫々を用いて複数の前記推論結果を得るものであり、
前記提示未入力情報選択手段は、前記複数の推論結果に基づいて、前記提示未入力情報候補の中から、提示未入力情報を選択するものであり、
前記予想診断名を否定する未入力情報は、前記複数の推論結果に係る推論確率が最小のものであることを特徴とする請求項２１に記載の診断支援装置。
【請求項２４】
前記推論手段は、前記既入力情報を入力として、診断名に属する確率を確率推論モデルにより計算して前記推論結果を得ることを特徴とする請求項２０乃至２３のいずれか１項に記載の診断支援装置。
【請求項２５】
前記確率推論モデルは、現象を複数の事象間の因果関係で表現したモデルであることを特徴とする請求項２４に記載の診断支援装置。
【請求項２６】
前記未入力情報は、前記医用画像に基づく前記特徴量に対応する医用情報であることを特徴とする請求項１９乃至２５のいずれか１項に記載の診断支援装置。  
【請求項２７】
診断を支援する情報を提供する診断支援方法であって、
診断の対象となる医用画像を取得する画像取得工程と、
前記医用画像について入力された医用情報を既入力情報として取得する医用情報取得工程と、
前記医用画像の特徴量を取得する特徴量取得工程と、
前記既入力情報以外の医用情報である未入力情報の中から、前記特徴量に関連付けられた複数の未入力情報を、提示の候補である提示未入力情報候補として選択する提示未入力情報候補選択工程と、
を有することを特徴とする診断支援方法。
【請求項２８】
診断を支援する情報を提供する診断支援システムであって、
診断の対象となる医用画像を取得する画像取得手段と、
前記医用画像について入力された医用情報を既入力情報として取得する医用情報取得手段と、
前記医用画像の特徴量を取得する特徴量取得手段と、
前記既入力情報以外の医用情報である未入力情報の中から、前記特徴量に関連付けられた複数の未入力情報を、提示の候補である提示未入力情報候補として選択する提示未入力情報候補選択手段と、
を有することを特徴とする診断支援システム。
【請求項２９】
請求項１７、１８、及び２７のいずれか１項に記載の診断支援方法の各工程をコンピュータに実行させるためのプログラム。
【手続補正２】
【補正対象書類名】明細書
【補正対象項目名】発明の名称
【補正方法】変更
【補正の内容】
【発明の名称】診断支援装置、診断支援システム、診断支援方法及びプログラム
【手続補正３】
【補正対象書類名】明細書
【補正対象項目名】００１０
【補正方法】変更
【補正の内容】
【００１０】
本発明の診断支援装置は、診断を支援する情報を表示させる診断支援装置であって、診断の対象となる医用画像を取得する画像取得手段と、前記診断のための医用情報を既入力情報として取得する医用情報取得手段と、前記医用画像の特徴量を取得する特徴量取得手段と、前記既入力情報以外の医用情報である未入力情報の中から、前記特徴量と対応し得る医用情報であって前記診断の結果に関係する医用情報を少なくとも１つ選択する選択手段と、前記選択された未入力情報を表示部に表示させる表示制御手段と、を有する。
本発明の診断支援装置における他の態様は、診断を支援する情報を表示させる診断支援装置であって、診断の対象となる医用画像を取得する画像取得手段と、前記医用画像について入力された医用情報を既入力情報として取得する医用情報取得手段と、前記医用画像の特徴量を取得する特徴量取得手段と、前記医用画像の特徴量に基づいて、前記既入力情報以外の医用情報である読影所見の項目を選択する選択手段と、前記選択された項目を表示部に表示させる表示制御手段と、を有する。
また、本発明の診断支援装置におけるその他の態様は、診断を支援する情報を提供する診断支援装置であって、診断の対象となる医用画像を取得する画像取得手段と、前記医用画像について入力された医用情報を既入力情報として取得する医用情報取得手段と、前記医用画像の特徴量を取得する特徴量取得手段と、前記既入力情報以外の医用情報である未入力情報の中から、前記特徴量に関連付けられた複数の未入力情報を、提示の候補である提示未入力情報候補として選択する提示未入力情報候補選択手段と、を有する。
また、本発明は、上述した診断支援装置を含む診断支援システム、上述した診断支援装置による診断支援方法、及び、当該診断支援方法の各工程をコンピュータに実行させるためのプログラムを含む。